(57)【要約】【課題】広角、小型で、Ｆｎｏ≦２．２と明るく、諸収差が良好に補正された４枚のレンズで構成される撮像レンズの提供である。【解決の手段】物体側から順に、開口絞り、正パワーの第１レンズ、負パワーの第２レンズ、正パワーの第３レンズ、負パワーの第４レンズが配置され、且つ、次式を満足することを特徴とする撮像レンズ。０．９３≦ｆ１／ｆ≦１．３０、−３．００≦ｆ２／ｆ≦−１．９０、−０．７０≦（Ｒ１＋Ｒ２）／（Ｒ１−Ｒ２）≦−０．１０、−２．００≦（Ｒ３＋Ｒ４）／（Ｒ３−Ｒ４）≦２．００、３０．００≦ｆ／ｄ６≦６５．００、但し、ｆ、ｆ１、ｆ２は、レンズ系全体、第１レンズ、第２レンズの焦点距離を、Ｒ１、Ｒ２、Ｒ３、Ｒ４は、第１レンズの物体側面、第１レンズの像面側面、第２レンズの物体側面、第２レンズも像面側面の曲率半径を、ｄ６は、第３レンズＬ３の像面側面から第４レンズＬ４の物体側面までの距離を、それぞれ示す。【選択図】図１
2015161760.tif 000002
【特許請求の範囲】
【請求項１】
物体側から順に、開口絞り（Ｓ１）、正パワーの第１レンズ（Ｌ１）、負パワーの第２レンズ（Ｌ２）、正パワーの第３レンズ（Ｌ３）、負パワーの第４レンズ（Ｌ４）が配置され、且つ、以下の条件式（１）〜（５）を満足することを特徴とする撮像レンズ。
０．９３≦ｆ１／ｆ≦１．３０                              （１）
−３．００≦ｆ２／ｆ≦−１．９０                          （２）
−０．７０≦（Ｒ１＋Ｒ２）／（Ｒ１−Ｒ２）≦−０．１０    （３）
−２．００≦（Ｒ３＋Ｒ４）／（Ｒ３−Ｒ４）≦２．００      （４）
３０．００≦ｆ／ｄ６≦６５．００                          （５）
但し、
ｆ：レンズ系全体の焦点距離
ｆ１：第１レンズＬ１の焦点距離
ｆ２：第２レンズＬ２の焦点距離
Ｒ１：第１レンズＬ１の物体側面の曲率半径
Ｒ２：第１レンズＬ１の像面側面の曲率半径
Ｒ３：第２レンズＬ２の物体側面の曲率半径
Ｒ４：第２レンズＬ２の像面側面の曲率半径
ｄ６：第３レンズＬ３の像面側面から第４レンズＬ４の物体側面までの距離
である。
【請求項２】
以下の条件式（６）を満足することを特徴とする請求項１記載の撮像レンズ。
−０．５０≦ｆ１／ｆ２≦−０．４０                        （６）
但し、
ｆ１：第１レンズＬ１の焦点距離
ｆ２：第２レンズＬ２の焦点距離
である。
【請求項３】
以下の条件式（７）及び、（８）を満足することを特徴とする請求項１記載の撮像レンズ。
０．６０≦ｆ３／ｆ≦１．００                              （７）
０．５０≦（Ｒ５＋Ｒ６）／（Ｒ５−Ｒ６）≦３．４０        （８）
但し、
ｆ：レンズ系全体の焦点距離
ｆ３：第３レンズＬ３の焦点距離
Ｒ５：第３レンズＬ３の物体側面の曲率半径
Ｒ６：第３レンズＬ３の像面側面の曲率半径
である。
【請求項４】
以下の条件式（９）及び、（１０）を満足することを特徴とする請求項１記載の撮像レンズ。
−２．００≦ｆ４／ｆ≦−０．６５                          （９）
１．２０≦（Ｒ７＋Ｒ８）／（Ｒ７−Ｒ８）≦４．００        （１０）
但し、
ｆ：レンズ系全体の焦点距離
ｆ４：第４レンズＬ４の焦点距離
Ｒ７：第４レンズＬ４の物体側面の曲率半径
Ｒ８：第４レンズＬ４の像面側面の曲率半径
である。
【発明の詳細な説明】
【技術分野】
【０００１】
本発明は撮像レンズに関する発明である。特に、高画素用ＣＣＤ、ＣＭＯＳなどの撮像素子を使用した小型撮像装置、光センサー、携帯用モジュールカメラ、ＷＥＢカメラなどに好適な、諸収差が好適に補正された良好な光学特性を有し、小型で、全画角（２ω）が、７５°以上の広角で、且つ、２．２以下のＦ値（以下、Ｆｎｏとする）の４枚のレンズで構成される撮像レンズに関する発明である。
【０００２】
近年、ＣＣＤやＣＭＯＳなどの撮像素子を使用した各種撮像装置が広く普及している。これらの撮像素子の小型化、高性能化に伴い、撮像装置に使用される撮像レンズにも広角、小型、で、且つ、Ｆｎｏの明るい良好な光学特性が求められる。
【０００３】
しかし、１．４μｍ以下の撮像素子を使用した場合、撮像光学系の明るさを表すＦｎｏが明るく、且つ、光学長が短いレンズ（小型化）が要求されるために、良好な光学特性が得られる４枚のレンズで構成される撮像レンズに関する技術開発が進められている。この４枚構成の撮像レンズとしては、物体側から順に、正パワーを有する第１レンズ、負パワーを有する第２レンズ、正パワーを有する第３レンズ、負パワーを有する第４レンズで構成したものが提案されている。
【０００４】
特許文献１に開示された撮像レンズは、上記、４枚で構成された撮像レンズであるが、第１レンズ、及び、第２レンズのパワー配分が、不十分なために、開示された実施例では、全画角２ω＜７５°で、且つ、Ｆｎｏ≧２．４０７と、広角化、及び、Ｆｎｏの明るさが不十分であった。
【０００５】
特許文献２に開示された撮像レンズは、上記、４枚で構成された撮像レンズであるが、レンズ系全体の焦点距離と第３レンズの像面側面から第４レンズの物体側面までの距離の比が、不十分なために、開示された実施例では、全画角２ω＜７２°で、且つ、Ｆｎｏ≧２．５０と、広角化、及び、Ｆｎｏの明るさが不十分であった。
【０００６】
【特許文献１】特開２０１３−１４８８３４号公報
【特許文献２】特開２０１３−１２５０７３号公報
【発明の概要】
【発明が解決しようとする課題】
【０００７】
本発明の目的は、広角、小型で、Ｆｎｏ≦２．２と明るく、諸収差が良好に補正された４枚のレンズで構成される撮像レンズの提供である。
【課題を解決するための手段】
【０００８】
上記目的を達成するために、レンズ系全体からの第１レンズ、及び、第２レンズのパワー配分、第１レンズ、及び、第２レンズの形状、レンズ系全体の焦点距離と第３レンズの像面側面から第４レンズの物体側面までの距離の比を鋭意検討した結果、従来技術の課題が改善された撮像レンズを得ることを見出し、本発明に到達した。
【０００９】
請求項１記載の撮像レンズは、物体側から順に、開口絞り（Ｓ１）、正パワーの第１レンズ（Ｌ１）、負パワーの第２レンズ（Ｌ２）、正パワーの第３レンズ（Ｌ３）、負パワーの第４レンズ（Ｌ４）が配置され、且つ、以下の条件式（１）〜（５）を満足することを特徴とする撮像レンズ。
０．９３≦ｆ１／ｆ≦１．３０                              （１）
−３．００≦ｆ２／ｆ≦−１．９０                          （２）
−０．７０≦（Ｒ１＋Ｒ２）／（Ｒ１−Ｒ２）≦−０．１０    （３）
−２．００≦（Ｒ３＋Ｒ４）／（Ｒ３−Ｒ４）≦２．００      （４）
３０．００≦ｆ／ｄ６≦６５．００                          （５）
但し、
ｆ：レンズ系全体の焦点距離
ｆ１：第１レンズＬ１の焦点距離
ｆ２：第２レンズＬ２の焦点距離
Ｒ１：第１レンズＬ１の物体側面の曲率半径
Ｒ２：第１レンズＬ１の像面側面の曲率半径
Ｒ３：第２レンズＬ２の物体側面の曲率半径
Ｒ４：第２レンズＬ２の像面側面の曲率半径
ｄ６：第３レンズＬ３の像面側面から第４レンズＬ４の物体側面までの距離
である。
【００１０】
請求項２記載の撮像レンズは、以下の条件式（６）を満足することを特徴とする請求項１記載の撮像レンズ。
−０．５０≦ｆ１／ｆ２≦−０．４０                        （６）
但し、
ｆ１：第１レンズＬ１の焦点距離
ｆ２：第２レンズＬ２の焦点距離
である。
【００１１】
請求項３記載の撮像レンズは、以下の条件式（７）及び、（８）を満足することを特徴とする請求項１記載の撮像レンズ。
０．６０≦ｆ３／ｆ≦１．００                              （７）
０．５０≦（Ｒ５＋Ｒ６）／（Ｒ５−Ｒ６）≦３．４０        （８）
但し、
ｆ：レンズ系全体の焦点距離
ｆ３：第３レンズＬ３の焦点距離
Ｒ５：第３レンズＬ３の物体側面の曲率半径
Ｒ６：第３レンズＬ３の像面側面の曲率半径
である。
【００１２】
請求項４記載の撮像レンズは、以下の条件式（９）及び、（１０）を満足することを特徴とする請求項１記載の撮像レンズ。
−２．００≦ｆ４／ｆ≦−０．６５                          （９）
１．２０≦（Ｒ７＋Ｒ８）／（Ｒ７−Ｒ８）≦４．００        （１０）
但し、
ｆ：レンズ系全体の焦点距離
ｆ４：第４レンズＬ４の焦点距離
Ｒ７：第４レンズＬ４の物体側面の曲率半径
Ｒ８：第４レンズＬ４の像面側面の曲率半径
である。
【発明の効果】
【００１３】
本発明によれば、特に、高画素用ＣＣＤ、ＣＭＯＳなどの撮像素子を使用した小型撮像装置、光センサー、携帯用モジュールカメラ、ＷＥＢカメラなどに好適な、諸収差が好適に補正された良好な光学特性を有し、広角、小型で、且つ、Ｆｎｏ≦２．２の明るい４枚のレンズで構成される撮像レンズの提供である。
【図面の簡単な説明】
【００１４】
【図１】本発明の一実施形態に係る撮像レンズＬＡの構成を示す図。
【図２】上記撮像レンズＬＡの具体的実施例１の構成を示す図。
【図３】実施例１の撮像レンズＬＡの球面収差（軸上色収差）図。
【図４】実施例１の撮像レンズＬＡの倍率色収差図。
【図５】実施例１の撮像レンズＬＡの像面湾曲及び歪曲収差図
【図６】上記撮像レンズＬＡの具体的実施例２の構成を示す図。
【図７】実施例２の撮像レンズＬＡの球面収差（軸上色収差）図。
【図８】実施例２の撮像レンズＬＡの倍率色収差図。
【図９】実施例２の撮像レンズＬＡの像面湾曲及び歪曲収差図
【図１０】上記撮像レンズＬＡの具体的実施例３の構成を示す図。
【図１１】実施例３の撮像レンズＬＡの球面収差（軸上色収差）図。
【図１２】実施例３の撮像レンズＬＡの倍率色収差図。
【図１３】実施例３の撮像レンズＬＡの像面湾曲及び歪曲収差図
【図１４】上記撮像レンズＬＡの具体的実施例４の構成を示す図。
【図１５】実施例４の撮像レンズＬＡの球面収差（軸上色収差）図。
【図１６】実施例４の撮像レンズＬＡの倍率色収差図。
【図１７】実施例４の撮像レンズＬＡの像面湾曲及び歪曲収差図
【発明を実施するための形態】
【００１５】
本発明に係る撮像レンズの一実施形態について、図面を参照しつつ説明する。本発明の一実地形態に係る撮像レンズの構成図を図１に示す。この撮像レンズＬＡは、物体側から像面に向かって、開口絞りＳ１、第１レンズＬ１、第２レンズＬ２、第３レンズＬ３、第４レンズＬ４が配列された４枚構成のレンズ系を備えている。第４レンズＬ４と像面との間に、ガラス平板ＧＦが配置される。このガラス平板ＧＦとしては、カバーガラス、又は、ＩＲカットフィルタ、又は、ローパスフィルタなどの機能を有するものを使用することができる。又、ガラス平板ＧＦは、第４レンズＬ４と像面との間に配置されなくともよい。
【００１６】
開口絞りＳ１を第１レンズＬ１よりも物体側に配置することにより、入射瞳位置を像面から遠い位置にとることができる。これにより、高いテレセントリック性を確保することが可能となり、像面に対する入射角を好適にすることができる。
【００１７】
第１レンズＬ１は、正パワーを有するレンズであり、第２レンズＬ２は、負パワーを有するレンズであり、第３レンズＬ３は、正パワーを有するレンズであり、第４レンズは、負パワーを有するレンズである。撮像レンズＬＡの小型化を図るため、レンズのパワー配列を正、負、正、負の、いわゆる、テレフォートタイプとしている。又、これら４枚のレンズ表面は、諸収差をより好適に補正するため、全面を非球面形状とすることが好ましい。
【００１８】
この撮像レンズＬＡは、以下の条件式（１）〜（５）を満足している。
０．９３≦ｆ１／ｆ≦１．３０                              （１）
−３．００≦ｆ２／ｆ≦−１．９０                          （２）
−０．７０≦（Ｒ１＋Ｒ２）／（Ｒ１−Ｒ２）≦−０．１０    （３）
−２．００≦（Ｒ３＋Ｒ４）／（Ｒ３−Ｒ４）≦２．００      （４）
３０．００≦ｆ／ｄ６≦６５．００                          （５）
但し、
ｆ：レンズ系全体の焦点距離
ｆ１：第１レンズＬ１の焦点距離
ｆ２：第２レンズＬ２の焦点距離
Ｒ１：第１レンズＬ１の物体側面の曲率半径
Ｒ２：第１レンズＬ１の像面側面の曲率半径
Ｒ３：第２レンズＬ２の物体側面の曲率半径
Ｒ４：第２レンズＬ２の像面側面の曲率半径
ｄ６：第３レンズＬ３の像面側面から第４レンズＬ４の物体側面までの距離
である。
【００１９】
条件式（１）は、第１レンズＬ１の正パワーを規定するものである。条件式（１）の下限を超えると、小型化には有利であるが、第１レンズＬ１の正パワーが強くなり過ぎ、諸収差の補正が困難となり好ましくなく、逆に上限を超えると第１レンズの正パワーが弱くなり過ぎ、小型化が困難となり好ましくない。
【００２０】
条件式（２）は、第２レンズＬ２の負パワーを規定するものである。条件式（２）の下限を超えると、第２レンズＬ２の負パワーが弱くなり過ぎて、軸上、軸外の色収差の補正が困難となり好ましくなく、逆に上限を超えると第２レンズＬ２の負パワーが強くなり過ぎて、諸収差の補正が困難となると共に、高次収差による第２レンズＬ２の軸上偏芯等による変動が大きくなり好ましくない。
【００２１】
条件式（３）は、第１レンズＬ１の形状を規定するものである。条件式（３）の範囲外では、Ｆｎｏ≦２．２での広角化、及び、小型化に伴い、球面収差等の高次収差の補正が困難となり好ましくない。
【００２２】
条件式（４）は、第２レンズＬ２の形状を規定するものである。条件式（４）の範囲外では、Ｆｎｏ≦２．２での広角化、及び、小型化に伴い、軸上、軸外の色収差の補正が困難となり好ましくない。
【００２３】
条件式（５）は、レンズ系全体の焦点距離ｆと第３レンズＬ３の像面側面から第４レンズＬ４の物体側面までの距離ｄ６の比を規定するものである。条件式（５）の範囲外では、諸収差が良好に補正され、且つ、Ｆｎｏ≦２．２での、広角、小型化が、困難となり好ましくない。
【００２４】
第１レンズＬ１は、正パワーを有するレンズであり、第２レンズＬ２は、負パワーを有するレンズであり、下記の条件式（６）を満足している。
−０．５０≦ｆ１／ｆ２≦−０．４０                        （６）
但し、
ｆ１：第１レンズＬ１の焦点距離
ｆ２：第２レンズＬ２の焦点距離
である。
【００２５】
条件式（６）は、第１レンズＬ１の焦点距離と第２レンズＬ２の焦点距離の比を規定するものである。条件式（６）の範囲外では、諸収差が良好に補正され、且つ、Ｆｎｏ≦２．２での、広角、小型化が、困難となり好ましくない。
【００２６】
第３レンズＬ３は、正パワーを有するレンズであり、下記の条件式（７）及び、（８）を満足している。
０．６０≦ｆ３／ｆ≦１．００                              （７）
０．５０≦（Ｒ５＋Ｒ６）／（Ｒ５−Ｒ６）≦３．４０        （８）
但し、
ｆ：レンズ系全体の焦点距離
ｆ３：第３レンズＬ３の焦点距離
Ｒ５：第３レンズＬ３の物体側面の曲率半径
Ｒ６：第３レンズＬ３の像面側面の曲率半径
である。
【００２７】
条件式（７）は、第３レンズＬ３の正パワーを規定するものである。下限を超えると第３レンズＬ３の正パワーが強くなり過ぎて、高次収差による第３レンズＬ３の軸上偏芯等による像面の変動が大きくなり好ましくなく、逆に上限を超えると第３レンズＬ３の正パワーが弱くなり過ぎて、小型化が困難となり好ましくない。
【００２８】
条件式（８）は、第３レンズＬ３の形状を規定するものである。条件式（８）の範囲外では、Ｆｎｏ≦２．２で、第３レンズＬ３の正パワーを制御することが困難となり、広角化、及び、小型化が困難となり好ましくない。
【００２９】
第４レンズＬ４は、負パワーを有するレンズであり、下記の条件式（９）及び、（１０）を満足している。
−２．００≦ｆ４／ｆ≦−０．６５                          （９）
１．２０≦（Ｒ７＋Ｒ８）／（Ｒ７−Ｒ８）≦４．００        （１０）
但し、
ｆ：レンズ系全体の焦点距離
ｆ４：第４レンズＬ４の焦点距離
Ｒ７：第４レンズＬ４の物体側面の曲率半径
Ｒ８：第４レンズＬ４の像面側面の曲率半径
である。
【００３０】
条件式（９）は、第４レンズＬ４の負パワーを規定するものである。下限を超えると第４レンズＬ４の負パワーが弱くなり過ぎて、軸外の色収差の補正が困難となり好ましくなく、上限を超えると高次収差による第４レンズＬ４の軸上偏芯等による像面の変動が大きくなり好ましくない。
【００３１】
条件式（１０）は、第４レンズＬ４の形状を規定するものである。条件式（１０）の範囲外では、第４レンズＬ４の像面側面から像面までの距離（ＬＢ）の確保が困難になり、且つ、Ｆｎｏ≦２．２で、広角化、及び、小型化に伴い、第４レンズＬ４のパワーを制御することが困難となり、軸外の色収差の補正が不十分となることがあり好ましくない。
【００３２】
撮像レンズＬＡを構成する４枚のレンズが、それぞれ前記の構成および条件式を満たすことにより、広角、小型で、且つ、Ｆｎｏ≦２．２の明るい撮像レンズを得るとこが可能となる。
【００３３】
本発明の撮像レンズＬＡを使用した撮像モジュールは、携帯用モジュールカメラ、ＷＥＢカメラ、パソコン、デジタルカメラ、自動車や各種産業機器の光センサー、モニターなどに使用される。
【実施例】
【００３４】
以下に、本発明の撮像レンズＬＡについて、実施例を用いて説明する。各実施例に記載されている記号は以下のことを示す。なお、距離、半径及び中心厚の単位はｍｍである。
ｆ      ：撮像レンズＬＡ全体の焦点距離
ｆ１    ：第１レンズＬ１の焦点距離
ｆ２    ：第２レンズＬ２の焦点距離
ｆ３    ：第３レンズＬ３の焦点距離
ｆ４    ：第４レンズＬ４の焦点距離
Ｆｎｏ  ：Ｆ値
２ω    ：全画角
Ｓ１    ：開口絞り
Ｒ      ：光学面の曲率半径、レンズの場合は中心曲率半径
Ｒ１    ：第１レンズＬ１の物体側面の曲率半径
Ｒ２    ：第１レンズＬ１の像面側面の曲率半径
Ｒ３    ：第２レンズＬ２の物体側面の曲率半径
Ｒ４    ：第２レンズＬ２の像面側面の曲率半径
Ｒ５    ：第３レンズＬ３の物体側面の曲率半径
Ｒ６    ：第３レンズＬ３の像面側面の曲率半径
Ｒ７    ：第４レンズＬ４の物体側面の曲率半径
Ｒ８    ：第４レンズＬ４の像面側面の曲率半径
Ｒ９    ：ガラス平板ＧＦの物体側面の曲率半径
Ｒ１０  ：ガラス平板ＧＦの像面側面の曲率半径
ｄ      ：レンズの中心厚、又は、レンズ間距離
ｄ０    ：開口絞りＳ１から第１レンズＬ１の物体側面までの距離
ｄ１    ：第１レンズＬ１の中心厚
ｄ２    ：第１レンズＬ１の像面側面から第２レンズＬ２の物体側面までの距離
ｄ３    ：第２レンズＬ２の中心厚
ｄ４    ：第２レンズＬ２の像面側面から第３レンズＬ３の物体側面までの距離
ｄ５    ：第３レンズＬ３の中心厚
ｄ６    ：第３レンズＬ３の像面側面から第４レンズＬ４の物体側面までの距離
ｄ７    ：第４レンズＬ４の中心厚
ｄ８    ：第４レンズＬ４の像面側面からガラス平板ＧＦの物体側面までの距離
ｄ９    ：ガラス平板ＧＦの中心厚
ｄ１０  ：ガラス平板ＧＦの像面側面から像面までの距離
ｎｄ    ：ｄ線の屈折率
ｎ１    ：第１レンズＬ１のｄ線の屈折率
ｎ２    ：第２レンズＬ２のｄ線の屈折率
ｎ３    ：第３レンズＬ３のｄ線の屈折率
ｎ４    ：第４レンズＬ４のｄ線の屈折率
ｎ５    ：ガラス平板ＧＦのｄ線の屈折率
νｄ    ：ｄ線のアッベ数
ν１    ：第１レンズＬ１のアッベ数
ν２    ：第２レンズＬ２のアッベ数
ν３    ：第３レンズＬ３のアッベ数
ν４    ：第４レンズＬ４のアッベ数
ν５    ：ガラス平板ＧＦのアッベ数
ＴＴＬ  ：開口絞りＳ１から像面までの距離（光学長）
ＬＢ    ：第４レンズＬ４の像面側面から像面までの距離（ガラス平板ＧＦの厚みを含む）
ＩＨ    ：像高
【００３５】
撮像レンズＬＡの第１レンズＬ１〜第４レンズＬ４のそれぞれのレンズ面の非球面形状は、ｙを光の進行方向を正とした光軸に、ｘを光軸と直交する方向とした軸として、下記の非球面多項式で表される。
【００３６】
ｙ＝（ｘ２／Ｒ）／［１＋｛１−（Ｋ＋１）（ｘ２／Ｒ２）｝１／２］
＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６    （１１）
【００３７】
但し、Ｒは光軸上の曲率半径、ｋは円錐係数、Ａ４、Ａ６、Ａ８、Ａ１０、Ａ１２、Ａ１４、Ａ１６は非球面係数である。
【００３８】
各レンズ面の非球面は、便宜上、式（１１）で表される非球面を使用している。しかしながら、特に、この式（１１）の非球面多項式に限定するものではない。
【００３９】
（実施例１）
図２は、実施例１の撮像レンズＬＡの構成を示す。実施例１の撮像レンズＬＡを構成する第１レンズＬ１〜第４レンズＬ４のそれぞれの物体側及び像面側の曲率半径Ｒ、レンズ中心厚み又はレンズ間距離ｄ、屈折率ｎｄ、アッベ数νを表１に、円錐係数ｋ、非球面係数を表２に示す。
【００４０】
【表１】
2015161760.tif 000003
【００４１】
【表２】
2015161760.tif 000004
2015161760.tif 000005
【００４２】
後に登場する表９は、各実施例１〜４の諸値及び条件式（１）〜（１０）で規定したパラメータに対応する値を示す。実施例１の撮像レンズＬＡは、表に示すように、条件式（１）〜（１０）を満足している。
【００４３】
実施例１の撮像レンズＬＡの球面収差（軸上色収差）を図３に、倍率色収差を図４に、像面湾曲及び歪曲収差を図５に示す。なお、図５の像面湾曲のＳはサジタル像面に対する像面湾曲、Ｔはタンジェンシャル像面に対する像面湾曲であり、実施例２〜４においても同様である。実施例１の撮像レンズＬＡは、２ω＝９１．７°、ＴＴＬ＝２．７２０ｍｍと広角、小型で、且つ、Ｆｎｏ＝２．００と明るく、図３〜５に示すように、良好な光学特性を有していることがわかる。
【００４４】
（実施例２）
図６は、実施例２の撮像レンズＬＡの構成を示す。実施例２の撮像レンズＬＡを構成する第１レンズＬ１〜第４レンズＬ４のそれぞれの物体側及び像面側の曲率半径Ｒ、レンズ中心厚み又はレンズ間距離ｄ、屈折率ｎｄ、アッベ数νを表３に、円錐係数ｋ、非球面係数を表４に示す。
【００４５】
【表３】
2015161760.tif 000006
【００４６】
【表４】
2015161760.tif 000007
2015161760.tif 000008
【００４７】
実施例２は、表９に示すように、条件式（１）〜（１０）を満足する。
【００４８】
実施例２の撮像レンズＬＡの球面収差（軸上色収差）を図７に、倍率色収差を図８に、像面湾曲及び歪曲収差を図９に示す。実施例２の撮像レンズＬＡは、２ω＝７６．０°、ＴＴＬ＝２．７３２ｍｍと広角、小型で、且つ、Ｆｎｏ＝２．０６と明るく、図７〜９に示すように、良好な光学特性を有していることがわかる。
【００４９】
（実施例３）
図１０は、実施例３の撮像レンズＬＡの構成を示す。実施例３の撮像レンズＬＡを構成する第１レンズＬ１〜第４レンズＬ４のそれぞれの物体側及び像面側の曲率半径Ｒ、レンズ中心厚み又はレンズ間距離ｄ、屈折率ｎｄ、アッベ数νを表５に、円錐係数ｋ、非球面係数を表６に示す。
【００５０】
【表５】
2015161760.tif 000009
【００５１】
【表６】
2015161760.tif 000010
2015161760.tif 000011
【００５２】
実施例３は、表９に示すように、条件式（１）〜（１０）を満足する。
【００５３】
実施例３の撮像レンズＬＡの球面収差（軸上色収差）を図１１に、倍率色収差を図１２に、像面湾曲及び歪曲収差を図１３に示す。実施例３の撮像レンズＬＡは、２ω＝７６．２°、ＴＴＬ＝２．７３５ｍｍと広角、小型で、且つ、Ｆｎｏ＝２．２０と明るく、図１１〜１３に示すように、良好な光学特性を有していることがわかる。
【００５４】
（実施例４）
図１４は、実施例４の撮像レンズＬＡの構成を示す。実施例４の撮像レンズＬＡを構成する第１レンズＬ１〜第４レンズＬ４のそれぞれの物体側及び像面側の曲率半径Ｒ、レンズ中心厚み又はレンズ間距離ｄ、屈折率ｎｄ、アッベ数νを表７に、円錐係数ｋ、非球面係数を表８に示す。
【００５５】
【表７】
2015161760.tif 000012
【００５６】
【表８】
2015161760.tif 000013
2015161760.tif 000014
【００５７】
実施例４は、表９に示すように、条件式（１）〜（１０）を満足する。
【００５８】
実施例４の撮像レンズＬＡの球面収差（軸上色収差）を図１５に、倍率色収差を図１６に、像面湾曲及び歪曲収差を図１７に示す。実施例４の撮像レンズＬＡは、２ω＝９０．９°、ＴＴＬ＝２．７７５ｍｍと広角、小型で、且つ、Ｆｎｏ＝２．００と明るく、図１５〜１７に示すように、良好な光学特性を有していることがわかる。
【００５９】
表９に各数値実施例の諸値及び条件式（１）〜（１０）で規定したパラメータに対応する値を示す。なお、表１１に示す諸値単位は、２ω（°）、ｆ（ｍｍ）、ｆ１（ｍｍ）、ｆ２（ｍｍ）、ｆ３（ｍｍ）、ｆ４（ｍｍ）、ＴＴＬ（ｍｍ）、ＬＢ（ｍｍ）、ＩＨ（ｍｍ）である。
【００６０】
【表９】
2015161760.tif 000015
【符号の説明】
【００６１】
ＬＡ    ：撮像レンズＬＡ
Ｓ１    ：開口絞り
Ｌ１    ：第１レンズ
Ｌ２    ：第２レンズ
Ｌ３    ：第３レンズ
Ｌ４    ：第４レンズ
ＧＦ    ：ガラス平板
Ｒ１    ：第１レンズＬ１の物体側面の曲率半径
Ｒ２    ：第１レンズＬ１の像面側面の曲率半径
Ｒ３    ：第２レンズＬ２の物体側面の曲率半径
Ｒ４    ：第２レンズＬ２の像面側面の曲率半径
Ｒ５    ：第３レンズＬ３の物体側面の曲率半径
Ｒ６    ：第３レンズＬ３の像面側面の曲率半径
Ｒ７    ：第４レンズＬ４の物体側面の曲率半径
Ｒ８    ：第４レンズＬ４の像面側面の曲率半径
Ｒ９    ：ガラス平板ＧＦの物体側面の曲率半径
Ｒ１０  ：ガラス平板ＧＦの像面側面の曲率半径
ｄ０    ：開口絞りＳ１から第１レンズＬ１の物体側面までの距離
ｄ１    ：第１レンズＬ１の中心厚
ｄ２    ：第１レンズＬ１の像面側面から第２レンズＬ２の物体側面までの距離
ｄ３    ：第２レンズＬ２の中心厚
ｄ４    ：第２レンズＬ２の像面側面から第３レンズＬ３の物体側面までの距離
ｄ５    ：第３レンズＬ３の中心厚
ｄ６    ：第３レンズＬ３の像面側面から第４レンズＬ４の物体側面までの距離
ｄ７    ：第４レンズＬ４の中心厚
ｄ８    ：第４レンズＬ４の像面側面からガラス平板ＧＦの物体側面までの距離
ｄ９    ：ガラス平板ＧＦの中心厚
ｄ１０  ：ガラス平板ＧＦの像面側面から像面までの距離
【図１】
2015161760.tif 000016
【図２】
2015161760.tif 000017
【図３】
2015161760.tif 000018
【図４】
2015161760.tif 000019
【図５】
2015161760.tif 000020
【図６】
2015161760.tif 000021
【図７】
2015161760.tif 000022
【図８】
2015161760.tif 000023
【図９】
2015161760.tif 000024
【図１０】
2015161760.tif 000025
【図１１】
2015161760.tif 000026
【図１２】
2015161760.tif 000027
【図１３】
2015161760.tif 000028
【図１４】
2015161760.tif 000029
【図１５】
2015161760.tif 000030
【図１６】
2015161760.tif 000031
【図１７】
2015161760.tif 000032